(57)【要約】【課題】　写真プリントの作成を依頼した顧客に対するサービスの向上を実現する。【解決手段】　ＤＰＥ受付店で写真プリントを受け取った顧客が画質に不満を抱いた場合に、該不満の内容を表す情報をＤＰＥ受付店に設置された端末に入力する(102が肯定)と、不満を解消するための対処を読み出し(104)、撮影操作による対処がカメラの機能によって相違する場合(106が肯定）はカメラの機能に応じて適切な対処を判別した後に(108〜114)、撮影操作による対処をアドバイスとして表示する(116)。また、特定画像処理によっても不満を解消可能であれば(118が肯定)特定画像処理を推奨するアドバイスも表示し(120)、要求があれば(124が肯定）特定画像処理を行った画像も表示する(126〜130)。【選択図】  　　　図２
2004078207.tif 000002
【特許請求の範囲】
【請求項１】
　撮影装置を操作して撮影を行い該撮影によって得られた第１の画像から作成された第２の画像を受け取った顧客が、前記第２の画像の画質内容を問う情報を入力するための入力手段と、
　前記入力手段を介して顧客により情報が入力された場合に、該情報で問われている画質内容への対処を判断し、判断した対処の実施を顧客へアドバイスするアドバイス情報を生成する生成手段と、
　を含むアドバイス装置。
【請求項２】
　顧客によって入力される情報により問われる可能性のある画質内容と、該画質内容への対処を対応付けて記憶した記憶手段を更に備え、
　前記生成手段は、前記記憶手段に記憶されている情報に基づいて前記対処の判断を行うことを特徴とする請求項１記載のアドバイス装置。
【請求項３】
　前記生成手段は、前記対処として、撮影時の撮影操作を判断し、判断した撮影操作の実施を顧客へアドバイスするアドバイス情報を生成することを特徴とする請求項１記載のアドバイス装置。
【請求項４】
　前記生成手段は、前記撮影によって得られた撮影画像のデータに基づいて撮影時に顧客が使用した撮影装置の機能を認識し、前記対処としての撮影操作を、前記認識した撮影装置の機能に応じて判断することを特徴とする請求項３記載のアドバイス装置。
【請求項５】
　前記生成手段は、前記対処として、前記第２の画像の作成依頼時に所定の画像処理を注文することが有効か否かを判断し、前記所定の画像処理を注文することが有効と判断した場合に、所定の画像処理の注文をアドバイスするアドバイス情報を生成することを特徴とする請求項１記載のアドバイス装置。
【請求項６】
　前記生成手段は、前記対処として、前記所定の画像処理を注文することが有効と判断した場合に、前記所定の画像処理を注文することで得られる画像を表す画像データを生成し、該画像データが表す画像を表示手段に表示させることを特徴とする請求項５記載のアドバイス装置。
【請求項７】
　前記アドバイス装置はＤＰＥ受付店に設置されていることを特徴とする請求項１乃至請求項６の何れか１項記載のアドバイス装置。
【請求項８】
　情報を入力するための入力手段を備えたコンピュータに所定の処理を実行させるためのプログラムであって、
　前記所定の処理は、
　撮影装置を操作して撮影を行い該撮影によって得られた第１の画像から作成された第２の画像を受け取った顧客により、前記第２の画像の画質内容を問う情報が前記入力手段を介して入力された場合に、該情報で問われている画質内容への対処を判断する第１のステップ、
　前記第１のステップで判断した対処の実施を顧客へアドバイスするアドバイス情報を生成する第２のステップ
　を含むことを特徴とするプログラム。
【発明の詳細な説明】
【技術分野】
【０００１】
　本発明はアドバイス装置及びプログラムに係り、特に、画像の撮影を行う顧客へのアドバイスを行うためのアドバイス装置、及び、コンピュータをアドバイス装置として機能させるためのプログラムに関する。
【背景技術】
【０００２】
　デジタルスチルカメラ（以下、ＤＳＣと略す）や通常のカメラを用いて撮影した画像からの写真プリントの作成依頼は、通常、顧客が撮影済み写真フィルム又は撮影画像データが格納された記録メディアを所持してＤＰＥ受付店へ出向くことによって為され、顧客からの依頼に基づき、撮影済み写真フィルム又は記録メディアから読み出された撮影画像データを用いて作成された写真プリントは、ＤＰＥ受付店に再度来店した顧客へ手渡される。
【０００３】
　なお、特許文献１には、サービスセンタ側の通信機器と顧客側の通信機器を公衆回線を介して接続し、顧客が撮影した写真に関する情報をサービスセンタ側へ伝送し、サービスセンタ側では、駐在している写真の専門家が伝送された情報を解析し、撮影した写真の出来映えを判断して顧客側へ伝送する技術が提案されている。
【特許文献１】特開２００２−１０７７９７号公報
【発明の開示】
【発明が解決しようとする課題】
【０００４】
　従来より、写真プリントの画質向上のために様々な技術が開発されており、例えば画質を比較的自由にコントロール可能なデジタルプリント（記録すべき画像のデータに応じて変調したレーザ光を印画紙上で走査させることで印画紙上に画像を露光記録する方式で作成される写真プリント）では、写真プリントの画質向上のための様々な画像処理が用意されている（例えば画像の低周波輝度成分の階調を圧縮することで逆光シーンを補正するハイパートーン処理等）。
【０００５】
　しかしながら、写真プリントの画質（撮影した被写体の再現性）には様々な要素が影響し、例えば撮影時の顧客の撮影操作が適切か否か等によっても大きく左右されるため、写真プリントの作成を依頼した顧客が、仕上がってきた写真プリントの画質に不満を抱くことを完全に解消することは非常に困難である。そして、写真プリントを受け取るために顧客がＤＰＥ受付店へ再度出向いた際には、単に写真プリントの受け渡しが短時間で行われるのみであり、写真プリントの画質に対する不満の有無の確認や、個々の顧客にとって有用な情報の提供等は行われていないのが実情である。
【０００６】
　このため、例えば写真プリントの画質に悪影響を及ぼす撮影操作を顧客自身が行っていたとしても、顧客がこれを認識することは困難であるために、同様の撮影操作が繰り返されることで、顧客が写真プリントの画質について高い頻度で不満を抱くことになる、という問題があった。また、例えば写真プリントの画質についての顧客の不満が、写真プリントの作成依頼時に特定の画像処理を注文することで解消する可能性がある場合にも、顧客がこれを認識する機会がない、という問題もあった。
【０００７】
　写真プリントの画質についての顧客の不満は、ＤＰＥ受付店や写真処理システム等に対する顧客の信頼度の低下に繋がる虞もあり、写真プリントの画質向上、ひいては顧客の満足度向上に繋がる顧客サービスの確立が求められていた。
【０００８】
　また、前述の特許文献１に記載の技術は、顧客が撮影した写真の客観的な評価を顧客に提供できるという利点を有するものの、写真プリントの画質についての顧客の不満を積極的に解消しようとするものではなく、上記技術を適用したとしても、写真プリントの画質についての顧客の不満が解消されない可能性は高い。
【０００９】
　本発明は上記事実を考慮して成されたもので、画像の作成を依頼した顧客に対するサービスの向上を実現できるアドバイス装置及びプログラムを得ることが目的である。
【課題を解決するための手段】
【００１０】
　上記目的を達成するために請求項１記載の発明に係るアドバイス装置は、撮影装置を操作して撮影を行い該撮影によって得られた第１の画像から作成された第２の画像を受け取った顧客が、前記第２の画像の画質内容を問う情報を入力するための入力手段と、前記入力手段を介して顧客により情報が入力された場合に、該情報で問われている画質内容への対処を判断し、判断した対処の実施を顧客へアドバイスするアドバイス情報を生成する生成手段と、を含んで構成されている。
【００１１】
　請求項１記載の発明に係るアドバイス装置には、撮影装置を操作して撮影を行い該撮影によって得られた第１の画像から作成された第２の画像を受け取った顧客が、第２の画像の画質内容を問う情報を入力するための入力手段が設けられている。なお、請求項１記載の発明において、顧客による撮影に用いられる撮影装置としては、例えば撮像素子によって被写体を撮影することで得られたアナログの画像信号をデジタルの画像データに変換し、情報記憶媒体に記憶させる構成の撮影装置（撮影専用に設計されたＤＳＣ）が挙げられるが、被写体を銀塩写真フィルム等の感光材料に露光記録する通常のカメラや、デジタルビデオカメラ、携帯電話機やＰＤＡ等の携帯機器に付属するＤＳＣであってもよい。
【００１２】
　また、請求項１記載の発明では、入力手段を介して顧客により情報が入力された場合に、生成手段により、該情報で問われている画質内容への対処が判断され、判断された対処の実施を顧客へアドバイスするアドバイス情報が生成される。顧客から問われている画質内容への対処としては、具体的には、例えば撮影時の顧客による撮影操作を改善することや、第２の画像の作成依頼時に顧客が所定の画像処理を注文すること等が挙げられる。上記のような対処を表すアドバイス情報が顧客に提供されることで、第２の画像が顧客にとって不満を感じる画質内容である等の場合にも、前記画質内容を問う情報を入力することで、前記画質内容への対処を認識することができる。従って、請求項１記載の発明によれば、画像の作成を依頼した顧客に対するサービスの向上を実現することができる。
【００１３】
　なお、請求項１記載の発明において、生成手段による対処（入力手段を介して入力された情報で問われている画質内容への対処）の判断は、具体的には、例えば請求項２に記載したように、顧客によって入力される情報により問われる可能性のある画質内容と、該画質内容への対処を対応付けて記憶手段に記憶しておき、この記憶手段に記憶されている情報に基づいて行うことができる。
【００１４】
　また、請求項２記載の発明において、画質内容と対処を対応付ける情報は、データベース等の形態で記憶手段に記憶されていてもよいし、アルゴリズム（プログラム）として記憶手段に記憶されていてもよい。また、例えば顧客から問われた画質内容への対処が複数種存在し、顧客が撮影に用いた撮影装置が備えている機能に応じて適切な対処が相違する等の場合は、顧客が撮影に用いた撮影装置が備えている機能を認識して適切な対処を選択する必要があるので、複数種の対処を記憶すると共にそれぞれの選択条件も記憶することが望ましい。
【００１５】
　また、請求項１記載の発明に係る生成手段は、具体的には、例えば請求項３に記載したように、入力手段を介して入力された情報で問われている画質内容への対処として、撮影時の撮影操作を判断し、判断した撮影操作の実施を顧客へアドバイスするアドバイス情報を生成するように構成することができる。これにより、上記のような対処を表すアドバイス情報が顧客に提供されることで、第２の画像が顧客にとって不満を感じる画質内容である等の場合にも、該画質内容を改善するための撮影時の撮影操作を前記顧客が認識することができる。
【００１６】
　また、前述のように、顧客が撮影に用いた撮影装置が備えている機能に応じて適切な対処が相違する場合があることを考慮すると、請求項３記載の発明において、例えば請求項４に記載したように、生成手段は、撮影によって得られた撮影画像のデータに基づいて撮影時に顧客が使用した撮影装置の機能を認識し、入力手段を介して入力された情報で問われている画質内容への対処としての撮影操作を、認識した撮影装置の機能に応じて判断することが好ましい。これにより、入力された情報で問われている画質内容への対処としての撮影操作をより正確に判断することができる。
【００１７】
　また、請求項１記載の発明に係る生成手段は、具体的には、例えば請求項５にも記載したように、入力手段を介して入力された情報で問われている画質内容への対処として、第２の画像の作成依頼時に所定の画像処理を注文するが有効か否かを判断し、所定の画像処理を注文することが有効と判断した場合に、所定の画像処理の注文をアドバイスするアドバイス情報を生成するように構成することが好ましい。
【００１８】
　入力手段を介して入力された情報で問われている画質内容への対処のうち請求項３等に記載した撮影操作は、撮影済みの第１の画像から作成した第２の画像の画質改善には寄与しないが、請求項５記載の発明では、第２の画像の作成依頼時に所定の画像処理を注文することが有効と判断した場合に、所定の画像処理の注文をアドバイスするアドバイス情報を生成するので、第２の画像が顧客にとって不満を感じる画質内容である等の場合にも、上記のアドバイス情報が顧客に提供されることで、不満を感じている画質内容を改善するための所定の画像処理の存在を前記顧客が認識できると共に、所定の画像処理を注文しかつ画質内容に不満を感じている第２の画像の再作成を依頼することで、画質内容が改善された画像を顧客が得ることも可能となる。
【００１９】
　また、請求項５記載の発明において、生成手段は、例えば請求項６に記載したように、入力手段を介して入力された情報で問われている画質内容への対処として、所定の画像処理を注文することが有効と判断した場合に、所定の画像処理を注文することで得られる画像を表す画像データを生成し、該画像データが表す画像を表示手段に表示させることが好ましい。これにより、所定の画像処理を注文することによる画像の画質内容の改善の度合いを、顧客が視覚的に容易に認識することができる。
【００２０】
　なお、所定の画像処理が、パラメータの設定に応じて処理結果が相違する画像処理である場合には、請求項６記載の発明において、所定の画像処理のパラメータの設定を互いに相違させた複数の画像を各々表示させるようにしてもよいし、入力手段を介して入力された顧客からの指示に応じて、所定の画像処理のパラメータの設定を変化させて繰り返し画像を表示させるようにしてもよい。
【００２１】
　また、請求項１乃至請求項６の何れかに記載の発明に係るアドバイス装置は、例えば請求項７に記載したように、ＤＰＥ受付店に設置されていることが好ましい。これにより、作成された第２の画像の受け取りのためにＤＰＥ受付店に来店した顧客が、ＤＰＥ受付店で受け取った第２の画像をその場で確認し、第２の画像が顧客にとって不満を感じる画質内容であった等の場合に、直ちに上記のアドバイス装置を操作し、上述したようなアドバイス情報の提供を受けることで、不満を解消するための対処を即座に認識することができる。
【００２２】
　請求項８記載の発明に係るプログラムは、情報を入力するための入力手段を備えたコンピュータに所定の処理を実行させるためのプログラムであって、前記所定の処理は、撮影装置を操作して撮影を行い該撮影によって得られた第１の画像から作成された第２の画像を受け取った顧客により、前記第２の画像の画質内容を問う情報が前記入力手段を介して入力された場合に、該情報で問われている画質内容への対処を判断する第１のステップ、前記第１のステップで判断した対処の実施を顧客へアドバイスするアドバイス情報を生成する第２のステップを含むことを特徴としている。
【００２３】
　請求項８記載の発明に係るプログラムは、上記第１及び第２のステップを含む処理をコンピュータに実行させるためのプログラム、すなわちコンピュータを、請求項１記載に記載のアドバイス装置として機能させるためのプログラムであるので、コンピュータが前記プログラムを読み出して実行することにより、請求項１記載の発明と同様に、画像の作成を依頼した顧客に対するサービスの向上を実現することができる。
【発明の効果】
【００２４】
　以上説明したように本発明は、撮影装置を操作して撮影を行い該撮影によって得られた第１の画像から作成された第２の画像を受け取った顧客により、第２の画像の画質内容を問う情報が入力された場合に、該情報で問われている画質内容への対処を判断し、判断した対処の実施を顧客へアドバイスするアドバイス情報を生成するので、画像の作成を依頼した顧客に対するサービスの向上を実現できる、という優れた効果を有する。
【発明を実施するための最良の形態】
【００２５】
　以下、図面を参照して本発明の実施形態の一例を詳細に説明する。図１には本実施形態に係る写真処理システム１０が示されている。本実施形態に係る写真処理システム１０には、写真プリント作成等の顧客からの写真処理依頼を受け付ける各地のＤＰＥ受付店１２と、ＤＰＥ受付店１２を介して顧客から依頼された写真処理を行う現像所１４、写真処理に関連する各種の情報を集中的に管理するデータセンタ１６、及び顧客が撮影に使用するカメラを製造する複数のカメラメーカ１８が関わっている。
【００２６】
　ＤＰＥ受付店１２には、ＤＰＥ受付店１２の店員が操作するためのコンピュータ２０と、ＤＰＥ受付店１２に来店した顧客が操作するためのハイパーターミナル２４が各々設置されている。コンピュータ２０にはメディアドライブ２２が接続されている。
【００２７】
　本実施形態において、顧客からの写真処理依頼には３種類の依頼形態がある。第１の依頼形態は、顧客が撮影専用に設計されたデジタルスチルカメラ、デジタルビデオカメラ、携帯電話機やＰＤＡ等の携帯機器に付属するデジタルスチルカメラ（以下、これらをＤＳＣと総称し、一例として本発明が適用されたＤＳＣを符号「６０」を付して図１に示す）を用いて被写体を撮影することで、記録メディア５８（例えばスマートメディア(Ｒ)やコンパクトフラッシュ(Ｒ)、メモリスティック(Ｒ)等：図１では一例としてスマートメディア(Ｒ)の外観を示す）に画像データが記録され（例えばＥＸＩＦ形式やその他の形式の画像ファイルとして記録される）、この記録メディア５８が持込まれることで写真処理が依頼される形態である。
【００２８】
　メディアドライブ２２は各種の記録メディア５８に対して情報の読み出し及び書込みを行う機能を有している。また、メディアドライブ２２が接続されたコンピュータ２０は、通信網５０を介して現像所１４（のコンピュータ３４：後述）と接続されている。第１の依頼形態で写真処理が依頼された場合、ＤＰＥ受付店１２では、顧客によって持込まれた記録メディア５８を受け取ることで写真処理依頼を受け付け、受け取った記録メディア５８からメディアドライブ２２によって撮影画像の画像データ（画像ファイル）を読み出し、読み出した画像データをコンピュータ２０によって現像所１４へ送信することで、顧客からの依頼を受け付けた写真処理の実施を現像所１４に依頼する。
【００２９】
　また、第２の依頼形態では、顧客がＤＳＣを用いて被写体を撮影することで得られた画像データ（例えばＥＸＩＦ形式やその他の形式の画像ファイル）が、インターネット等のコンピュータ・ネットワークを介してＤＰＥ受付店１２へ送信されることで写真処理が依頼される。コンピュータ２０はインターネット等を介して情報を送受する機能を有しており、第２の依頼形態で写真処理が依頼された場合、ＤＰＥ受付店１２では、インターネット等を介して顧客から送信された撮影画像の画像データをコンピュータ２０によって受信することで写真処理依頼を受け付け、受信した画像データをコンピュータ２０によって現像所１４へ送信することで、顧客から依頼された写真処理の実施を現像所１４に依頼する。
【００３０】
　更に、第３の依頼形態では、顧客がカメラを用いて被写体を撮影することで画像が露光記録された写真フィルムがＤＰＥ受付店１２に持込まれることで写真処理が依頼される。第３の依頼形態で写真処理が依頼された場合、ＤＰＥ受付店１２では、顧客によって持込まれた写真フィルムを受け取ることで写真処理依頼を受け付け、受け取った写真フィルムを現像所１４へ送付することで、顧客から依頼された写真処理の実施を現像所１４に依頼する。
【００３１】
　また、ＤＰＥ受付店１２に設置されたハイパーターミナル２４はパーソナルコンピュータ（ＰＣ）から成り、ＣＰＵ，ＲＯＭ，ＲＡＭ，入出力ポートがバスを介して互いに接続されて構成されており（図示省略）、入出力ポートには、ハードディスクドライブ（ＨＤＤ：図示省略）、画像等を表示するためのディスプレイ２６、キーボード２８、マウス３０及びメディアドライブ３２が各々接続されている。メディアドライブ３２は、メディアドライブ２２と同様に、各種の記録メディア５８に対して情報の読み出し及び書込みを行う機能を有している。また、ハイパーターミナル２４も通信網５０に接続されている。なお、キーボード２８及びマウス３０は本発明に係る入力手段として機能する。
【００３２】
　現像所１４には、コンピュータ３４、スキャナ３６、画像処理装置３８及び写真プリンタ／プロセッサ４０が設置されている。図示は省略するが、コンピュータ３４はＣＰＵ，ＲＯＭ，ＲＡＭ，入出力ポートがバスを介して互いに接続され、各種の周辺機器が入出力ポートに接続されて構成されている。なお、入出力ポートに接続されている周辺機器としては、キーボード、ディスプレイ、マウス、ハードディスクドライブ（ＨＤＤ）が挙げられる。コンピュータ３４は、第１の依頼形態又は第２の依頼形態で写真処理が依頼された場合にＤＰＥ受付店１２から送信された撮影画像の画像データを受信し、画像処理装置３８へ出力する。
【００３３】
　また、スキャナ３６には、第３の依頼形態で写真処理が依頼された場合にＤＰＥ受付店１２から送付され、現像等の処理を経て露光記録された画像が可視化された写真フィルムがセットされる。スキャナ３６はセットされた写真フィルムに記録されている画像（現像等の処理を経て可視化された画像）を読み取り、この読み取りによって得られた画像データを画像処理装置３８へ出力する。
【００３４】
　画像処理装置３８はスキャナ３６又はコンピュータ３４から入力された画像データに対して所定の画像処理を行い、写真プリンタ／プロセッサ４０は、画像処理装置３８による画像処理を経た画像データを用いて写真プリントの作成（記録すべき画像に応じて変調したレーザ光を印画紙上で走査させることによる印画紙への画像の露光記録や、画像を露光記録した印画紙の現像等）を行う。なお、画像処理装置３８で行われる画像処理の種類及び処理条件はコンピュータ３４によって決定される。
【００３５】
　また、現像所１４に設置されたコンピュータ３４は通信網５０に接続されており、ＤＰＥ受付店１２のハイパーターミナル２４及びデータセンタ１６のコンピュータ４４（後述）と通信網５０を介して通信可能とされている。また、コンピュータ３４には紙等の記録媒体に文字等を記録するためのプリンタ４２が接続されている。
【００３６】
　一方、データセンタ１６には、コンピュータ４４と、ＨＤＤ等から成る大容量の記憶装置４６が設置されている。コンピュータ４４は通信網５０に接続されており、ＤＰＥ受付店１２に設置されたコンピュータ２０や、複数のカメラメーカ１８が各々所持しているコンピュータ５２と通信網５０を介して通信可能とされている。また、記憶装置４６には写真処理に関連する各種の情報を記憶するための写真関連情報ＤＢ（データベース）４８が設けられている。記憶装置４６はコンピュータ４４に接続されており、写真関連情報ＤＢ４８に対する情報の書き込み及び読み出しはコンピュータ４４によって行われる。
【００３７】
　次に本実施形態の作用として、まず写真関連情報ＤＢ４８について説明する。写真処理システム１０では個々の顧客を顧客番号によって識別・管理しており、ＤＰＥ受付店１２では、顧客から写真処理が依頼される毎に、依頼日、依頼された写真処理の内容及び数量等の情報をコンピュータ２０に入力することで、上記の情報を顧客番号と対応付けてコンピュータ２０のＨＤＤに顧客情報として蓄積記憶させる。なお顧客番号は、例えば顧客が所持しており写真処理依頼時に提示されるカード状の記録媒体（例えば磁気カードやＩＣカード等）に記録しておき、この記録媒体から読み出すことで取得することが望ましい。
【００３８】
　また、顧客から第１の依頼形態又は第２の依頼形態で写真処理の依頼を受け付けた場合、撮影画像はＥＸＩＦ形式や他の形式の画像ファイルとして顧客から引き渡されることになるが、この種の形式の画像ファイルには、個々の撮影画像毎に、画像データ以外に、ファイル名、撮影に使用したＤＳＣの機種、撮影日時、撮影時の撮影条件（ＤＳＣの設定）を表す各種情報（例えばシャッタースピード、絞り値、画質モード（画像データの圧縮率）、感度、露出プログラムのモード、測光方式、ホワイトバランスのモード、フォーカスのモード、シャープネスのモード、焦点距離、露出補正値、ストロボのオンオフ、ストロボ補正値、マクロモードのオンオフ等）等の情報が含まれている。
【００３９】
　このため、顧客から第１の依頼形態又は第２の依頼形態で写真処理の依頼を受け付けた場合、ＤＰＥ受付店１２では、顧客から引き渡された画像ファイルから、撮影に使用したＤＳＣの機種等の情報を読み出し、コンピュータ２０のＨＤＤに顧客情報として蓄積記憶させると共に、ＤＳＣの機種や撮影画像数（画像ファイルの数）等の情報を、顧客番号と共にデータセンタ１６のコンピュータ４４へ送信する。これにより、コンピュータ４４は、ＤＳＣの機種や撮影画像数（画像ファイルの数）等の情報を、顧客番号と対応付けて記憶装置４６の写真関連情報ＤＢ４８に記憶させる。
【００４０】
　上記のようにして記憶装置４６の写真関連情報ＤＢ４８に記憶されたＤＳＣの機種や撮影画像数（画像ファイルの数）等の情報はカメラメーカ１８によって参照される。個々のカメラメーカ１８は、コンピュータ５２を介して上記の情報を参照することで、自社が製造したＤＳＣを使用している顧客の数や個々の顧客による撮影回数（撮影画像数）や撮影頻度等を、ＤＳＣの個々の機種毎に把握することができ、今後のＤＳＣの製品開発に役立てたり、ＤＳＣの定期交換部品の保管年月や定期交換部品の製造計画を策定することができる。また、撮影回数の総数が設計値に達しているＤＳＣを所持している顧客が存在していた場合には、例えばＤＰＥ受付店１２を通じてＤＳＣの部品交換や買い換えを勧めることも可能となる。
【００４１】
　また、現像所１４では、顧客から写真プリントの作成が依頼されると、画像処理装置３８で実行すべき画像処理の処理条件を決定するために、コンピュータ３４により、以下で説明するシーン解析及びセットアップ処理が個々の撮影画像を単位として行われる。
【００４２】
　シーン解析では、撮影画像の画像データに基づいて、撮影画像の濃度範囲や色バランスの検知、鮮鋭度や彩度の評価等、種々の処理が行われるが、この種々の処理の中には、撮影画像の画像データに基づき、撮影画像中に人物の顔に相当する顔画像領域が存在しているか否かを検索する顔領域検索処理が含まれる。この顔領域検索処理の結果（顔画像領域が存在しているか否か）により、撮影画像として写し込まれているシーンの種別（被写体種）を大まかに判断することができる。また、顔領域検索処理によって撮影画像中に顔画像領域が存在していることが検知された場合には、検知された顔画像領域に対して濃度範囲や色バランスの検知等が行われると共に、検知された顔画像領域中に存在する人物の眼部に相当する眼部領域を抽出し、抽出した眼部領域に赤目や金目等の色調不良が生じているか否かを検出する赤目検出処理も行われる。
【００４３】
　シーン解析が完了すると、シーン解析の結果に基づき、撮影画像の画像データに対して画像処理装置３８で実行される画像処理の処理条件を決定するセットアップ処理が行われる。画像処理装置３８で実行される画像処理としては、例えば印画紙上で画像が適正な濃度で再現させるための濃度変換処理や、印画紙上で画像が適正な色バランスで再現させるための色変換処理、画像データの画素数（画素密度）を変換する画素密度変換処理等が挙げられる。
【００４４】
　例えばシーン解析の結果、処理対象の撮影画像が露出アンダ又は露出オーバで撮影されていると判断された場合には、露出アンダ又は露出オーバが補正されるように濃度変換処理の処理条件が決定され、処理対象の撮影画像が異種光源によって撮影されていると判断された場合には、異種光源に起因する色バランスの偏倚が補正されるように色変換処理の処理条件が決定される。また、画素密度変換処理の処理条件は、処理対象の画像データの画素数及び作成する写真プリントのサイズに基づいて決定される。上記のようにして決定された画像処理の処理条件はセットアップ情報として画像処理装置３８へ出力される。
【００４５】
　なお、本実施形態において、シーン解析の結果を表す情報及びセットアップ情報はコンピュータ３４からデータセンタ１６へ送信され、個々の画像を特定するための識別情報（例えば顧客番号、顧客からの個々の依頼に付与されたオーダ番号、個々の撮影画像に付与されたコマ番号等）と対応付けて写真関連情報ＤＢ４８に登録される。
【００４６】
　画像処理装置３８は、個々の撮影画像の画像データに対して画像処理を実行するにあたり、コンピュータ３４から入力された個々の撮影画像に対応するセットアップ情報を参照し、該セットアップ情報に設定されている画像処理の処理条件に従って画像処理を行う。画像処理装置３８で画像処理が行われた画像データ（記録用画像データ）は写真プリンタ／プロセッサ４０へ出力され、写真プリントの作成に用いられる。そして、写真プリンタ／プロセッサ４０によって作成された写真プリントは、第１の依頼形態で写真プリントの作成依頼を受け付けた場合には、ＤＰＥ袋等に収納されて現像所１４からＤＰＥ受付店１２へ返送され、写真プリントの受け取りのためにＤＰＥ受付店１２に来店した顧客へ手渡される。
【００４７】
　また、本実施形態では、上記の記録用画像データ及び撮影画像の画像ファイルもコンピュータ３４からデータセンタ１６へ送信され、個々の画像を特定するための識別情報と対応付けて写真関連情報ＤＢ４８に登録される。従って、写真関連情報ＤＢ４８には、撮影画像の画像ファイル、シーン解析の結果を表す情報、セットアップ情報及び記録用画像データが各々記憶されることになる。
【００４８】
　一方、ＤＰＥ受付店１２に設置されたコンピュータ２０は、ＨＤＤに顧客情報が蓄積記憶されていると共に、通信網５０を介してデータセンタ１６の写真関連情報ＤＢ４８に記憶されている情報も参照可能である。従って、顧客への写真プリントの受け渡し時に、例として図５に示すような顧客情報情報や、例として図６に示すようなセットアップ情報（図６では仕上げデータと表記）、顧客が所持しているカメラに関する情報、顧客が過去に注文した画像や特定仕上げに関する情報をコンピュータ２０のディスプレイに表示させることができるので、ディスプレイに表示された上記のような情報を参照したＤＰＥ受付店１２の店員により、顧客に対して以下のようなサービスを提供することが可能となる。
【００４９】
　すなわち、ＤＰＥ受付店１２の店員は、顧客が所持しているカメラに関する情報を参照することで、顧客が所持しているカメラの機種、購入日、使用年数、撮影本数等を認識することができるので、例えば写真プリントを渡す顧客の撮影本数が比較的多ければ、該顧客はヘビーユーザでありカメラに興味があると判断し、カメラの新機種やアクセサリについての紹介を行うことが可能となる。また、顧客の購買意欲を刺激することを目的として、新機種のカメラを無償又は少額で顧客に一定期間貸し出す等のサービスを行ってもよい。
【００５０】
　また、ＤＰＥ受付店１２の店員はセットアップ情報（画像処理条件）を参照することができるので、例えば写真プリントを渡す顧客からのリクエストがあれば写真プリントに対する評価・アドバイスをその場で行うことができる。失敗写真について、撮影時の撮影モードが適切だったか否か等をその場で評価してもらうと喜ぶ顧客は少なからず存在しており、例えば手振れが多ければシャッタスピードを上げる、夜間撮影で背景がとんでいれば夜景モードの選択を勧める等のアドバイスを行うことで、写真に対する顧客の興味が増すことが期待できる。
【００５１】
　また、例えば背景がとんでいる等のように写真プリントの画質に顧客が不満を感じている場合に、店員がその場でセットアップ情報を確認し、逆光補正が効いていない場合には同補正を有効にした画像をコンピュータ２０上でシミュレートし、ディスプレイに表示させて顧客へ提案することができ、顧客の同意が得られれば直ちに写真プリントを作成して顧客へ渡すことも可能となる。また、同様にセピア仕上げやソフト仕上げ、クロスフィルタ仕上げ等のシミュレート画像を顧客に提示することでこれらの画像処理を紹介し、好みの画像を無償提供して次回からの注文に繋げるようにしてもよい。
【００５２】
　更に、ＤＰＥ受付店１２の店員は顧客が過去に注文した画像を把握することができるので、顧客が同一の画像を２重に注文した場合も確認することができる。ＤＳＣを用いて撮影された画像は、写真フィルムに記録された画像のように何れの写真フィルムに記録された画像であるかによって区別することは困難であり、ファイル名も互いに類似しているので識別しにくく、写真プリントの作成を過去に注文したことのある画像か否かを顧客が判断しにくい。これに対し、ＤＰＥ受付店１２が過去に写真プリントの作成が依頼された画像の撮影日や撮影場所、撮影時間等の情報を管理していれば、これらの情報を照合することで顧客が過去に注文した画像か否かはＤＰＥ受付店１２側で判断できる。
【００５３】
　また、ＤＰＥ受付店１２の店員は、特定仕上げに関する情報を参照することで、顧客が過去に注文した特定仕上げの履歴を把握することができるので、例えば顧客が過去にポストカードを注文していた場合には、今年の新作テンプレートを紹介しながらポストカードの利用を勧めることも可能となる。また、顧客の住所、家族の氏名、電子メールアドレス等の情報を顧客情報として記憶しておくことができるので、ポストカードの利用にあたり顧客が上記のような情報を注文票に記入する必要もない。また、過去の子供の写真画像と最近の子供の写真画像を合成したポストカードを作成する等の編集もその場で提案することができ、ひと味違ったポストカードの提案を行うことも可能となる。
【００５４】
　ところで、ＤＰＥ受付店１２で提供可能な上記のようなサービスのうち、写真プリントに対する評価・アドバイスの提供は、熟練した店員であっても時間を要する可能性があり、ＤＰＥ受付店１２の店員の負担となったり、ＤＰＥ受付店１２の業務に支障が生ずる可能性がある。このため、本実施形態ではＤＰＥ受付店１２にハイパーターミナル２４を設置している。以下、ＤＰＥ受付店１２に設置されたハイパーターミナル２４における処理について説明する。
【００５５】
　本実施形態において、第１の依頼形態で写真プリントの作成を依頼し、作成された写真プリントの受け取りのためにＤＰＥ受付店１２に来店した顧客は、受け取った写真プリントを確認しその画質に不満を抱いた場合に、ＤＰＥ受付店１２内に設置されたハイパーターミナル２４のキーボード２８等を操作してアドバイスを要求する情報を入力する。
【００５６】
　ハイパーターミナル２４のＨＤＤには、アドバイス提供処理（後述）を実行するためのアドバイス提供プログラムが予めインストールされており、アドバイスを要求する情報が入力されると、アドバイス提供プログラムがＨＤＤから読み出されてハイパーターミナル２４のＣＰＵで実行されることで、ハイパーターミナル２４でアドバイス提供処理が行われる。以下、このアドバイス提供処理について、図２のフローチャートを参照して説明する。なお、アドバイス提供処理は本発明に係る生成手段に対応している。
【００５７】
　ステップ１００では、例として図３（Ａ）に示すように、写真プリントの画質に対する不満の内容を顧客が入力するための情報入力画面をディスプレイ２６に表示させる。図３（Ａ）に示す情報入力画面は、画質に不満を感じている写真プリントのコマ番号を入力するための入力欄６４Ａと、該写真プリントの画質に対する不満の内容を入力するための入力欄６４Ｂと、画質に対する不満の内容が選択肢として一覧表示された表示欄６４Ｃが設けられている。ステップ１０２では顧客による入力が完了したか否か判定し、判定が肯定される迄ステップ１０２を繰り返す。
【００５８】
　本実施形態に係るハイパーターミナル２４のＨＤＤには、例として次の表１に示すように、写真プリントの画質に関して顧客が感じる可能性がある各種不満の内容（情報入力画面の表示欄６４Ｃに一覧表示された各選択肢）と、不満を解消するための対処を表す対処情報が対応付けて記憶されている。このように、ハイパーターミナル２４のＨＤＤは請求項２に記載の記憶手段に対応している。
【００５９】
【表１】
2004078207.tif 000003
【００６０】
　なお、顧客の不満を解消するための対処は、詳しくは、画像処理による対処と撮影操作による対処に大別され、表１の例ではこれらが区別されて記憶されている。また、顧客による不満の内容によっては、該不満を解消するための撮影操作による対処として、顧客が撮影に用いるＤＳＣ６０が備えている機能に応じて複数種の対処が考えられる場合もある。
【００６１】
　例えば顧客による不満の内容が「背景が暗い」である場合、顧客が撮影に用いるＤＳＣ６０に、ストロボ発光モードとしてスローシンクロモードが設けられていれば、撮影操作による対処としては「スローシンクロモードを使用して撮影」が挙げられるが、スローシンクロモードが設けられていない場合の撮影操作による対処は「ストロボ補正及び露出補正を行って撮影」となる。このため、本実施形態では、不満を解消するための撮影操作による対処として複数種の対処が考えられる場合は、ＤＳＣ６０の機能に応じて場合分けした複数種の対処を表す対処情報が各々記憶されている。
【００６２】
　顧客が情報入力画面の入力欄６４Ａにコマ番号を入力すると共に、表示欄６４Ｃに一覧表示されている選択肢のうち不満の内容に該当する選択肢の識別情報を入力欄６４Ｂに入力すると、ステップ１０２の判定が肯定されてステップ１０４へ移行し、顧客によって情報入力画面の入力欄６４Ｂに入力（選択）された特定の写真プリントの画質に対する顧客の不満内容に対応する対処情報をＨＤＤから読み出す。
【００６３】
　次のステップ１０６以降では、写真プリントの画質に対する顧客の不満を解消するための撮影操作による対処を判別する。すなわち、ステップ１０６では、ステップ１０４で読み出した対処情報が表す対処の中に、撮影操作による対処として複数種の対処（顧客が撮影に用いたカメラが備えている機能に応じて選択すべき対処）が含まれているか否か判定する。例えば表１において、不満内容「画像が全体的にブレている」と対応付けられている撮影操作による対処「手振れに注意して撮影する」のように、読み出した対処情報に含まれる撮影操作による対処が、カメラが備えている機能とは無関係な対処であった場合は、上記判定は否定され、何ら処理を行うことなく（上記の対処を、顧客の不満を解消するための撮影操作による対処と判別し）ステップ１１６へ移行する。
【００６４】
　一方、対処情報が表す対処の中に、撮影操作による対処として複数種の対処が含まれていた場合には、ステップ１０６の判定が肯定されてステップ１０８へ移行し、ハイパーターミナル２４を操作している顧客の顧客番号、オーダ番号及びコマ番号をデータセンタ１６のコンピュータ４４へ送信することで、顧客が画質に不満を感じている写真プリントに対応する撮影条件情報（撮影画像の画像ファイルに含まれている）を送信するよう要請し、記憶装置４６の写真関連情報ＤＢ４８からコンピュータ４４によって読み出されて送信された撮影条件情報を受信することで、顧客が画質に不満を感じている写真プリントに対応する撮影条件情報をデータセンタ１６から取得する。
【００６５】
　なお、顧客の顧客番号及びオーダ番号は、キーボード２８等を介して顧客によりハイパーターミナル２４へ入力させるようにしてもよいが、これらの情報はＤＰＥ受付店１２のコンピュータ２０にも記憶されているため、例えばハイパーターミナル２４を利用することを顧客から告げられたＤＰＥ受付店１２の店員が、コンピュータ２０からハイパーターミナル２４へ予め転送しておく操作をすることで、ハイパーターミナル２４が前記情報を認識するように構成することも可能である。次のステップ１１０では、ステップ１０８で取得された撮影条件情報を参照することで、顧客が撮影に用いたカメラ（ＤＳＣ６０）の機種を認識する。
【００６６】
　ところで、記憶装置４６の写真関連情報ＤＢ４８には、現在市場に出回っている（顧客が使用している可能性のある）各種ＤＳＣの仕様を表す仕様情報（この仕様情報にはＤＳＣが備えている撮影モードの種類（例えばＡＵＴＯ、ポートレート、スポーツ、風景、マクロ、夜景、マニュアル、連写、ムービー等）やストロボの発光モードの種類等を表す情報が含まれている）が機種毎に各々登録されている。この仕様情報は、カメラメーカ１８がＤＳＣの新機種を発売する毎に、該ＤＳＣの仕様を表す仕様情報をコンピュータ５２を介してデータセンタ１６へ送信し、コンピュータ４４が受信した仕様情報を記憶装置４６の写真関連情報ＤＢ４８に記憶させることによって登録されたものである。
【００６７】
　次のステップ１１２では、ステップ１１０で認識したＤＳＣ６０の機種を表す情報をデータセンタ１６のコンピュータ４４へ送信することで、ＤＳＣ６０の仕様情報を送信するよう要請し、記憶装置４６の写真関連情報ＤＢ４８からコンピュータ４４によって読み出されて送信されたＤＳＣ６０の仕様情報を受信することで、ＤＳＣ６０の仕様情報をデータセンタ１６から取得する。そしてステップ１１４では、ステップ１１２で取得した仕様情報が表すＤＳＣ６０の仕様と、ステップ１０４で読み出した対処情報を比較することで、顧客の不満を解消するための撮影操作による対処のうち、撮影時に使用されたＤＳＣ６０で実行可能な対処を判別する。
【００６８】
　これにより、例えば顧客による不満の内容が「背景が暗い」であり、顧客が撮影に用いたＤＳＣ６０に、ストロボ発光モードとしてスローシンクロモードが設けられている場合には、実行可能な対処として「スローシンクロモードを使用して撮影」が選択され、スローシンクロモードが設けられていない場合は、実行可能な対処として「ストロボ補正及び露出補正を行って撮影」が選択されることになる。
【００６９】
　次のステップ１１６では、ステップ１０６〜ステップ１１４で判別された撮影操作による対処の実施を推奨するアドバイスを表す情報（アドバイス情報）を生成し、生成したアドバイス情報が表すアドバイスをディスプレイ２６に表示させる。図３（Ｂ）又は（Ｃ）には、撮影操作のアドバイスを表示する表示画面の一例を示す。この例では、アドバイス情報が表すアドバイスは表示欄６６Ａに表示され、スクロールバー６６Ｂを操作することで表示欄６６Ａ内をスクロールさせることも可能とされている。これにより、顧客が、特定の写真プリントの画質に対して抱えている不満を解消するための撮影操作を認識することができ、写真プリントの作成を依頼した顧客に対するサービスの向上を実現できる。
【００７０】
　なお、ＤＳＣ６０の種類によっては、例えば「スローシンクロモード」を「夜景ポートレートモード」と称している等のように、各種機能の名称は必ずしも統一されていない。このため、ステップ１１６では、ステップ１０６〜ステップ１１４で判別された撮影操作による対処がＤＳＣ６０の特定機能を利用する対処であった場合には、先のステップ１１２で取得した仕様情報に基づき、顧客が撮影に用いたＤＳＣ６０における特定機能の名称を確認し、確認した名称を用いてアドバイスを生成・表示する（図３（Ｂ）に一例を示す）。これにより、表示されたアドバイスの内容を顧客がより容易に理解することができる。
【００７１】
　次のステップ１１８では、先のステップ１０４で読み出した対処情報の中に、画像処理による対処を表す情報が含まれているか否かを判断することで、特定の写真プリントの画質に対する顧客の不満は特定画像処理を実行することによっても解消可能か否か判定する。判定が否定された場合は何ら処理を行うことなくステップ１２２へ移行するが、判定が肯定された場合はステップ１２０へ移行し、特定画像処理の注文を推奨するアドバイスを表す情報（アドバイス情報）を生成し、生成したアドバイス情報が表すアドバイスをディスプレイ２６に追加表示させる（例として図３（Ｂ），（Ｃ）に示すメッセージ６６Ｃ参照）。
【００７２】
　これにより、顧客は、特定の写真プリントの画質に対する不満は、写真プリントの作成依頼時に特定画像処理を注文することで解消することを認識することができる。なお、本実施形態では上記のメッセージ６６Ｃと共に、特定画像処理に対する説明の追加表示を顧客が指示するためのボタン６６Ｄも表示される。
【００７３】
　ステップ１２２では、顧客によってアドバイスの表示終了が指示されたか否か判定する。判定が肯定された場合はアドバイス提供処理を終了するが、判定が否定された場合はステップ１２４へ移行し、特定画像処理に対する説明の追加表示が顧客から指示されたか否か判定する。この判定も否定された場合はステップ１２２へ戻り、何れかの判定が肯定される迄ステップ１２２，１２４を繰り返す。
【００７４】
　ボタン６６Ｄが顧客によってクリックされる等によって特定画像処理に対する説明の追加表示が指示されると、ステップ１２４の判定が肯定されてステップ１２６へ移行し、ハイパーターミナル２４を操作している顧客の顧客番号、オーダ番号及びコマ番号をデータセンタ１６のコンピュータ４４へ送信することで、特定の写真プリント（顧客が画質に不満を感じている写真プリント）の記録用画像データを送信するよう要請し、記憶装置４６の写真関連情報ＤＢ４８からコンピュータ４４によって読み出されて送信された記録用画像データを受信することで、特定の写真プリントの記録用画像データをデータセンタ１６から取得する。
【００７５】
　次のステップ１２８では、ステップ１２６で取得した記録用画像データに対して特定画像処理を行う。これにより、特定の写真プリントの作成にあたって特定画像処理を行った場合の写真プリントの画像を表す画像データを得ることができる。そしてステップ１３０では特定画像処理を説明する画面をディスプレイ２６に表示させた後に、ステップ１２２に戻る。本実施形態では、特定画像処理を説明する画面として、例として図３（Ｄ）に示すように、ステップ１２６で取得した記録用画像データが表す画像（顧客が受け取った写真プリントに相当する画像：画像６８Ａ）、ステップ１２８で特定画像処理を行った画像データが表す画像（写真プリントの作成依頼時に特定画像処理を注文することで得られる写真プリントに相当する画像：画像６８Ｂ）、及び、特定画像処理の注文を推奨するメッセージ６８Ｃが各々表示された画面を用いている。
【００７６】
　ディスプレイ２６に表示された上記の画面を参照することで、顧客は、写真プリントの作成依頼時に特定画像処理を注文することにより、写真プリントの画質がどのように改善されるのかを視覚的に容易に認識することができ、写真プリントの作成を依頼した顧客に対するサービスの向上を実現できる。
【００７７】
　なお、特定画像処理の説明において、上記のように単に画像を表示させることに代えて、特定画像処理のパラメータの設定（例えば特定画像処理による補正の強度等）を互いに相違させた複数の画像を記録用画像データから各々生成し、生成した複数の画像を各々表示させるようにしてもよい。また、顧客がキーボード２８やマウス３０を操作することで特定画像処理のパラメータの設定変更を指示可能とし、顧客から設定変更の指示が入力される毎に、入力された指示に応じてパラメータの設定を変更して特定画像処理を行い、表示している画像を画像処理後の画像に切替えるようにしてもよい。
【００７８】
　また、特定画像処理を説明する画面を参照し、特定画像処理を実施したときの画質の改善具合を確認した顧客が、特定画像処理を実施した特定写真プリントの再作成を希望した場合に、該再作成を自動的に行う（現像所１４へ画像データ等を送信することで再作成を依頼するか、ＤＰＥ受付店１２に画像処理装置３８や写真プリンタ／プロセッサ４０等の機器が設置されている場合はＤＰＥ受付店１２で再作成を行う）ようにしてもよい。
【００７９】
　また、ハイパーターミナル２４で実行される処理は、上記のアドバイス提供処理に限られるものではない。写真プリントの受け取りのためにＤＰＥ受付店１２に来店した顧客が提供を希望すると推定される情報としては、受け取った写真プリントの画質に抱いた顧客の不満を解消するための対処以外に、例えば写真プリントの画質向上のための撮影操作についての全般的なアドバイスも考えられるので、顧客が撮影操作についてのアドバイスの提供を希望した場合に、ハイパーターミナル２４で前記アドバイスを生成して提供するようにしてもよい。
【００８０】
　具体的には、例えば評価対象の撮影画像（例えば１件のオーダに対応する全ての撮影画像）について画像ファイルやシーン解析の結果を表す情報等を取得し、画像ファイルに含まれる撮影条件情報や撮影画像データに基づいて撮影時の顧客による撮影操作（例えば撮影モードの選択、ストロボ発光の有無、ストロボ発光モードの選択等）を認識すると共に、シーン解析の結果を表す情報に基づいて撮影画像の画質を評価して撮影された被写体に対する最適な撮影操作を判断し、撮影時の顧客による撮影操作と最適な撮影操作との差異に応じてアドバイスを生成し、生成したアドバイスを例として図４に示すような画面としてディスプレイ２６に表示させることで実現できる。これにより、写真プリントの作成を依頼した顧客に対する更なるサービスの向上を実現することができる。
【００８１】
　更に、上記では第１の依頼形態によって写真プリントの作成を依頼し、ＤＰＥ受付店１２に来店して写真プリントを受け取った顧客が、受け取った写真プリントの画質に不満を感じた場合にアドバイスを生成して提供する例を説明したが、これに限定されるものではない。例えばカメラによって写真フィルムに露光記録された画像（第３の依頼形態によって写真処理が依頼される画像）であっても、写真フィルムがＡＰＳフィルムであればＡＰＳフィルムの磁気層に撮影情報が記録されるので、ＡＰＳフィルム用のカメラを用いて撮影された撮影画像については、ＡＰＳフィルムに記録された撮影情報を用いることで、ＤＳＣを用いて撮影された場合と同様に機種等を認識可能であり、認識した機種等に基づいて高精度なアドバイスを提供可能である。
【００８２】
　また、銀塩フィルムカメラのうち、高機能の一眼レフタイプのカメラの中には、内蔵メモリに撮影情報を記録する機能を搭載しているものも存在している。この種のカメラは、写真フィルムの撮影画像領域外に光学的に書き込んだＩＤにより、内蔵メモリに記録した撮影情報と撮影画像（写真フィルム）とを対応付ける構成を採用しており、この種のカメラを用いて撮影された撮影画像については、内蔵メモリに記録された撮影情報を利用することで、ＤＳＣを用いて撮影された撮影画像と同様に機種等を認識し、認識した機種等に基づいて高精度なアドバイスを提供することができる。
【００８３】
　また、最近のデジタルビデオカメラの中には、動画像以外に静止画像の撮影も可能なものも存在しており、この種のデジタルビデオカメラは、静止画像をＪＰＥＧフォーマットで記録すると共に、ＥＸＩＦ形式の画像ファイルと同様の撮影情報も付加する構成であるので、この撮影情報を利用することで、ＤＳＣを用いて撮影された撮影画像と同様に機種等を認識し、認識した機種等に基づいて高精度なアドバイスを提供することができる。
【００８４】
　更に、最近では撮影機能が搭載された携帯電話機も普及してきている。現時点では撮影画像に撮影情報も付加するタイプの携帯電話機は存在していないが、この種の携帯電話機で撮影された撮影画像に対しても、撮影に用いられた携帯電話機の機種は認識可能であり、認識した機種等に基づいて高精度なアドバイスを提供可能である。
【００８５】
　また、上記では本発明に係るプログラムとしてのアドバイス提供プログラムをハイパーターミナル２４で実行させることで、ハイパーターミナル２４を本発明に係るアドバイス装置として機能させる態様を説明したが、これに限定されるものではなく、例えば顧客が所持しているコンピュータが、記憶装置４６の写真関連情報ＤＢ４８に記憶されている情報を参照可能な環境である等の場合には、ＤＰＥ受付店１２から顧客へ渡される記録メディア５８やＣＤ−Ｒ等に本発明に係るプログラムを記録しておき、顧客が所持しているコンピュータへ顧客自身が前記プログラムをインストールして実行させることで、顧客が所持しているＰＣを本発明に係るアドバイス装置として機能させる（アドバイス情報の生成等の処理を行わせる）ことも可能である。また、記録メディア５８やＣＤ−Ｒ等にプログラムを記録することに代えて、前記プログラムをインターネット等のコンピュータ・ネットワークを介して顧客にダウンロードさせるようにしてもよい。
【図面の簡単な説明】
【００８６】
【図１】本実施形態に係る写真処理システムの概略構成を示すブロック図である。
【図２】アドバイス提供処理の内容を示すフローチャートである。
【図３】ハイパーターミナルのディスプレイに表示される画面の一例を示すイメージ図である。
【図４】撮影操作についての全般的なアドバイスを提供する際にディスプレイに表示される画面の一例を示すイメージ図である。
【図５】ＤＰＥ受付店のコンピュータのディスプレイに表示可能な情報の一例を示すイメージ図である。
【図６】ＤＰＥ受付店のコンピュータのディスプレイに表示可能な情報の他の例を示すイメージ図である。
【符号の説明】
【００８７】
　　　　１０　　写真処理システム
　　　　１２　　ＤＰＥ受付店
　　　　１４　　現像所
　　　　１６　　データセンタ
　　　　２４　　ハイパーターミナル
　　　　２６　　ディスプレイ
　　　　２８　　キーボード
　　　　３０　　マウス
　　　　３８　　画像処理装置
　　　　４６　　記憶装置
　　　　４８　　写真関連情報ＤＢ
　　　　５０　　通信網
　　　　６０　　ＤＳＣ
【図１】
2004078207.tif 000004
【図２】
2004078207.tif 000005
【図３】
2004078207.tif 000006
【図４】
2004078207.tif 000007
【図５】
2004078207.tif 000008
【図６】
2004078207.tif 000009